(57)【要約】【課題】本発明は、光源を点灯する回路を内蔵したケースから放射される熱を効率良く放熱することができる照明器具を提供することを目的とする。【解決手段】請求項１の発明は、鋼板で成形された照明器具本体２と；電子安定器を内蔵するとともに、照明器具本体と略同一材質の鋼板で成形され、前記照明器具本体内に接触して配設されたケース体１１と；前記電子安定器により点灯される光源６と；を具備していることを特徴とする。【選択図】図１
2004127525.tif 000002
【特許請求の範囲】
【請求項１】
鋼板で成形された照明器具本体と；
電子安定器を内蔵するとともに、照明器具本体と略同一材質の鋼板で成形され、前記照明器具本体内に接触して配設されたケース体と；
前記電子安定器により点灯される光源と；
を具備していることを特徴とする照明器具。
【請求項２】
前記照明器具本体の大きさは、前記ケース体の大きさと比較して十分に大きいことを特徴とする請求項１記載の照明器具。
【請求項３】
前記ケース体はベースケースおよびカバーケースで構成され、照明器具本体とカバーケースは略同色の鋼板で成形されていることを特徴とする請求項１記載の照明器具。
【発明の詳細な説明】
【０００１】
【発明の属する技術分野】本発明は照明器具に関する。
【０００２】
【従来の技術】従来、この種の照明器具は、照明器具本体と、反射板と、反射板側方に設けられた端板等で構成されている。この技術において、反射板および側板は、同一のカラー鋼板等の金属板で成形されている（例えば、特許文献１参照）。したがって、反射板および側板を同仕様の材料にすることにより、同じ白色系で統一できるというものである。
【０００３】
【特許文献１】特開平１１−２５０７１１号公報（第５頁、図１）
【０００４】
【発明が解決しようとする課題】上述したように、照明器具の外観上の色彩を同一にして、光源からの光の反射効率を向上させるようなものであるが、照明器具内部に配設される点灯回路ケースの材質については何ら記載されていない。
【０００５】
一方、近年、照明器具に内蔵される点灯回路は、その小形化が要請されてきており、小形化により回路から発生する熱を放熱する課題がでてきている。
【０００６】
そこで、本発明は、光源を点灯する回路を内蔵したケースから放射される熱を効率良く放熱することができる照明器具を提供することを目的とする。
【０００７】
【課題を解決するための手段】請求項１の発明は、鋼板で成形された照明器具本体と；電子安定器を内蔵するとともに、照明器具本体と略同一材質の鋼板で成形され、前記照明器具本体内に接触して配設されたケース体と；前記電子安定器により点灯される光源と；を具備していることを特徴とする。
【０００８】
請求項２の発明は、請求項１記載の照明器具において、前記照明器具本体の大きさは、前記ケース体の大きさと比較して十分に大きいことを特徴とする。
【０００９】
請求項３の発明は、請求項１記載の照明器具において、前記ケース体はベースケースおよびカバーケースで構成され、照明器具本体とカバーケースは略同色の鋼板で成形されていることを特徴とする。
【００１０】
【発明の実施の形態】以下、本発明の一実施の形態示す照明器具について、図１ないし図３を参照して説明する。
【００１１】
図１に示す照明器具１は、下面が開放した細長い箱状の照明器具本体としてのシャーシ２を備え、このシャーシ２の下面は反射板３で塞がれている。このシャーシ２は、亜鉛鍍金鋼板で成形されている。シャーシ２の長手方向両端部にはランプソケットとして例えば蛍光ランプソケット４が夫々取付けられ、これらソケット４は反射板３の長手方向両端部を貫通している。
【００１２】
シャーシ２内にはいわゆる電子安定器と称される放電灯点灯装置５が収容されている。本実施形態の場合、インバータ回路を含む高周波点灯装置である。この点灯装置５により点灯される光源としての直管形蛍光ランプ６が、その長手両端を夫々ランプソケット４に取外し可能に接続支持されて反射板３の下側に配置されている。
【００１３】
図２に示す放電灯点灯装置５は、ケース体１１と、回路モジュール１２とを具備している。ケース体１１は、シャーシ２と同一材料の亜鉛鍍金鋼板で成形されたベースケース１３およびカバーケース１４とを連結して細長い箱形容器状に形成されている。回路モジュール１２は、その長手方向両端部を除いてケース体１１に収められている。回路モジュール１２は、これをくるむように設けられる図示しない絶縁シートでケース体１１から電気的に絶縁されていて、インバータ制御により電力変換を行なって蛍光ランプ６の点灯制御をするものである。
【００１４】
ベースケース１３の長手方向両端部には夫々固定孔１３ａ（一方のみ図示）が開けられている。これら固定孔１３ａに通される図示しないねじをシャーシ２にねじ込むことにより、放電灯点灯装置５は図２で示す姿勢とは上下逆様の姿勢でシャーシ２に取付けられる。この取付け状態ではベースケース１３がシャーシ２の内面に接触して、放電灯点灯装置５の熱をシャーシ２に放出できる。
【００１５】
すなわち、放電灯点灯装置５は小形化が進み、回路モジュール１２に使用される電子部品については、プリント配線板１５に対してその実装面積が小さくなってきており、ケース体１１の内容積も低下している。このような状況では、ケース体１１内部において、各電子部品からの熱の対流は生じにくくなり、発熱部品１６に熱がこもりがちになり、その部分の温度上昇が急激になることがある。したがって、発熱部品に近接して配設されている他の電子部品にも熱的に影響が出てくる場合もある。本実施の形態では、このような温度分布に偏りがある放電灯点灯装置でも、ケース体１１の材質をシャーシ２の材質と実質的に同一のものを採用することにより、ケース体１１からシャーシ２への熱伝導性を均一にし、熱がこもっているケース体１１部分から効率よくシャーシ２へ伝導させることができる。照明器具本体２の大きさは、ケース体１１の大きさと比較して十分に大きいので、さらに放熱効果が向上する。
【００１６】
図３は、照明器具本体２を亜鉛鍍金鋼板とし、放電灯点灯装置５のケース体１１を亜鉛鍍金鋼板で成形したもの（実施例１および２）と、従来のようにアルミニウムで形成したもの（比較例）とをそれぞれ配置して、所定の部位の温度を測定した結果を示す表である。これによると、照明器具本体とケース体の材質を同一にした組合せのものが、発熱回路部品１６である半導体、巻線部品、ケース体内部およびケース表面のいずれにおいても、ケース体をアルミニウムとしたときと比較して、温度が低下しており、放熱効果があることが分かる（図３参照）。
【００１７】
また、ケース体はベースケースおよびカバーケースで構成され、照明器具本体とカバーケースは略同色の鋼板で成形されており、実験によりさらに効果が得られる。
【００１８】
カバーケース１４は、ベースケース１３より短く、それにより回路モジュール１２の長手方向両端部を、ケース体１１の長手方向両端部に露出させている。図２中１４ａはカバーケース１４の長手方向の両端部を折り曲げてなる端板（一方のみ図示）を示していて、この端板１４ａを境に回路モジュール１２の長手方向の端部が露出されている。
【００１９】
回路モジュール４は、プリント配線板１５と、この配線板１５の少なくとも一面に実装された多数の回路部品１６と、入力側端子台１７と、出力側端子台１８とを備えている。
【００２０】
端子台１７、１８は、ケース体１１から露出されたプリント配線板１５の長手方向両端部に個別に実装されている。端子台１７には図示しない電源供給用電線が差し込み接続される。出力側端子台１８には図示しない器具内配線用電線が差込み接続される。
【００２１】
プリント配線板１５は、その一面を各種回路部品１６等の部品実装面とした硬質な絶縁基板と、この他面に積層された銅箔パターン等からなる配線層と、この配線層を覆った半田レジスト層とを有している。したがって、本実施形態のプリント配線板１５は片面実装形であるが、これに限らず、本発明では両面実装形のプリント配線板や多層プリント配線板等も使用できる。多数の回路部品１６と配線層とは蛍光ランプ６の点灯を制御するための点灯回路を形成している。各回路部品１６が実装されたプリント配線板１５の一面は、その長手方向両端部を除いてカバーケース１４で覆われている。
【００２２】
【発明の効果】請求項１の発明によると、鋼板で成形された照明器具本体と略同一材質の鋼板で成形され、前記照明器具本体内に接触して配設されたケース体を組合せることにより、ケース体から放射される熱を効率良く放熱することができる。
【００２３】
請求項２の発明によると、照明器具本体の大きさは、ケース体の大きさと比較して十分に大きいので、さらに放熱効果が向上する。
【００２４】
請求項３の発明によると、ケース体はベースケースおよびカバーケースで構成され、照明器具本体とカバーケースは略同色の鋼板で成形されており、実験によりさらに効果が得られる。
【図面の簡単な説明】
【図１】本発明の一実施の形態に係る照明器具を一部断面して示す側面図である。
【図２】図１の照明器具が備える本発明の一実施の形態に係る放電灯点灯装置を示す斜視図である。
【図３】照明器具本体を亜鉛鍍金鋼板とし、ケース体を亜鉛鍍金鋼板で成形したものと、アルミニウムで形成したものとをそれぞれ配置して、所定の部位の温度を測定した結果を示す表である。
【符号の説明】１…照明器具、２…シャーシ、４…ランプソケット、５…放電灯点灯装置、６…蛍光ランプ（放電灯）、１１…ケース体、１２…回路モジュール、１５…プリント配線板、１５ａ…切断加工面、１５ｂ…凹部、１６…回路部品、１７、１８…端子台。
【図１】
2004127525.tif 000003
【図２】
2004127525.tif 000004
【図３】
2004127525.tif 000005